(57)【要約】【課題】迅速にパネルを固定することができるパネル固定構造とする。【解決手段】上方を向く係止口１３ａが備わり、かつ側方に突出するフランジ部１２ａ，１２ｂが備わる枠材１０を、既設建物内に設け、フランジ部１２ａ，１２ｂ上に、既設建物内に構築する部屋Ｒの天井部となるパネルＰの端縁部を載置する。パネルＰの端縁部上に、固定具１を設け、この固定具１とフランジ部１２ａ，１２ｂとで、パネルＰ端縁部を挟み込み、パネルＰを枠材１０に固定する。この際、固定具１に、係止口１３ａと相対的に挿入係止関係を有するフック部５を備える。【選択図】図３
2006169889.tif 000002
【特許請求の範囲】
【請求項１】
上方を向く係止口が備わり、かつ側方に突出するフランジ部が備わる枠材が、既設建物内に設けられ、前記フランジ部上に、前記既設建物内に構築する部屋の天井部となるパネルの端縁部が載置された場合に用いられる構造であり、
前記パネル端縁部上に、固定具が設けられて、この固定具と前記フランジ部とで、前記パネル端縁部が挟み込まれたことにより、前記パネルが、前記枠材に固定された構造であって、
前記固定具に、前記係止口と相対的に挿入係止関係を有するフック部が、備えられている、ことを特徴とするパネル固定構造。
【請求項２】
上方を向く係止口が備わり、かつ側方に突出するフランジ部が備わる枠材が、既設建物内に設けられ、前記フランジ部上に、前記既設建物内に構築する部屋の天井部となるパネルの端縁部が載置された場合に用いられるものであり、
前記パネル端縁部上に設けられて、前記フランジ部とで、前記パネル端縁部を挟み込むことにより、前記パネルを前記枠材に固定する、パネル固定具であって、
前記係止口と相対的に挿入係止関係を有するフック部が、備えられている、ことを特徴とするパネル固定具。
【請求項３】
帯板が曲げられて、使用状態において係止口と対向する上片と、この上片から使用状態においてパネル端縁部上まで延在する側片とが、形成され、
前記上片の少なくとも一部が曲げられて、下方に突出する谷片とされ、この谷片が、フック部とされている、請求項２記載のパネル固定具。
【請求項４】
帯板が可とう性を有し、使用状態において内方に圧すると、谷片が狭まって、挿入係止関係が解除される、請求項３記載のパネル固定具。
【請求項５】
側片の先端部が、少なくとも側方に延在するように曲げられている、請求項４記載のパネル固定具。
【発明の詳細な説明】
【技術分野】
【０００１】
本発明は、パネル固定構造及びパネル固定具に関するものである。より詳しくは、既設建物内に、クリーンルーム等の部屋を構築する場合に、その部屋の天井部となるパネルを、このパネルを支持する枠材に固定する構造及び固定具に関するものである。
【背景技術】
【０００２】
既設建物内に、クリーンルーム等の部屋を構築するにあたっては、まず、鉄骨や木材等からなる枠材を、例えば、格子状に枠組みし、その後、この枠組みした枠材によって、ファンフィルタユニット（ＦＦＵ）、ドライコイルユニット等の各種設備や、ブランクパネル等の各種パネルなどを支持して、構築する部屋の天井部を形成していた（例えば、特許文献１参照。）。
【０００３】
より具体的には、図１及び図２に示すように、まず、上方を向く係止口１３ａが備わり（図１中の拡大図参照。）、かつ側方に突出するフランジ部１２ａ，１２ｂが備わる枠材１０（図６中の拡大図参照。）を、既設建物内に設け、その後、フランジ部１２ａ，１２ｂ上に、例えば、ネオプレンガスケット等のシール材１４などを介して、各種設備２０やパネルＰの端縁部を載置することにより、構築する部屋の天井部を形成していた。なお、図示例では、枠材１０が、下側枠１１と、この上面に固定された上側枠１３と、を有し、この上側枠１３の上面に係止口１３ａが形成されており、また、下側枠１１の下端部側面に、フランジ部１２ａ，１２ｂが、取り付けられている。
【０００４】
もっとも、このように、フランジ部１２ａ，１２ｂ上に、各種設備２０やパネルＰの端縁部を載置するのみであると、各種設備２０は、その自重によって、ある程度の安定性が確保されるものの、パネルＰは、上方への移動が自在なため、安定性が確保されず、落下の危険がある。
【０００５】
そこで、パネルＰの端縁部上に、固定具を設けて、この固定具とフランジ部１２ａ，１２ｂとで、パネルＰの端縁部を挟み込むことにより、パネルＰの上方への移動を阻止し（固定）、落下の危険を防止している。そして、従来、この固定具は、図１及び図２に示すように、１組又は複数組のボルト１０２及びナット１０３と、固定板１１０と、からなっていた。また、この固定板１１０は、枠材１０の長手方向（紙面前後方向）に延在するスリット状の開口たるボルト口１１１ａが形成された上片１１１と、この上片１１１の側端縁から下方に折れ曲がった側片１１２，１１３と、からなっていた。なお、図１に示すように、枠材１０の両側方にパネルＰが載置される場合は、両方の側片１１２，１１３が備わり、他方、図２に示すように、枠材１０の一側方のみにパネルＰが載置される場合は、一方の側片１１２のみが備わる。
【０００６】
この固定具を用いて、パネルＰを固定するにあたっては、まず、ボルト口１１１ａと係止口１３ａとが対向するように、固定板１１０を、枠材１０に被せ、次いで、ボルト口１１１ａ及び係止口１３ａに、ボルト１０２を通し、ナット１０３を締める。これにより、側片１１２，１１３の下端縁が、パネルＰの端縁部上に位置し、もってパネルＰの上方への移動が阻止されて（固定）、パネルＰの落下の危険が防止される（従来の固定構造１００）。
【０００７】
しかしながら、この従来の固定構造１００によると、既設建物内という狭い場所において、ナット１０３を締めるという煩瑣な作業が必要となるため、パネルＰを迅速に固定することができない。特に、構築する部屋がクリーンルーム等である場合は、各種設備２０の設置、移動、除去等をたびたび行わなければならないことがあるため、その際に必要となるパネルＰの固定及び固定解除作業を、迅速に行う必要が大きくなる。
【特許文献１】特許２５１５５９３号公報（図１、図８）
【発明の開示】
【発明が解決しようとする課題】
【０００８】
本発明が解決しようとする主たる課題は、迅速にパネルを固定することができるパネル固定構造及びパネル固定具を提供することにある。
【課題を解決するための手段】
【０００９】
この課題を解決した本発明は、次のとおりである。
〔請求項１記載の発明〕
上方を向く係止口が備わり、かつ側方に突出するフランジ部が備わる枠材が、既設建物内に設けられ、前記フランジ部上に、前記既設建物内に構築する部屋の天井部となるパネルの端縁部が載置された場合に用いられる構造であり、
前記パネル端縁部上に、固定具が設けられて、この固定具と前記フランジ部とで、前記パネル端縁部が挟み込まれたことにより、前記パネルが、前記枠材に固定された構造であって、
前記固定具に、前記係止口と相対的に挿入係止関係を有するフック部が、備えられている、ことを特徴とするパネル固定構造。
【００１０】
〔請求項２記載の発明〕
上方を向く係止口が備わり、かつ側方に突出するフランジ部が備わる枠材が、既設建物内に設けられ、前記フランジ部上に、前記既設建物内に構築する部屋の天井部となるパネルの端縁部が載置された場合に用いられるものであり、
前記パネル端縁部上に設けられて、前記フランジ部とで、前記パネル端縁部を挟み込むことにより、前記パネルを前記枠材に固定する、パネル固定具であって、
前記係止口と相対的に挿入係止関係を有するフック部が、備えられている、ことを特徴とするパネル固定具。
【００１１】
〔請求項３記載の発明〕
帯板が曲げられて、使用状態において係止口と対向する上片と、この上片から使用状態においてパネル端縁部上まで延在する側片とが、形成され、
前記上片の少なくとも一部が曲げられて、下方に突出する谷片とされ、この谷片が、フック部とされている、請求項２記載のパネル固定具。
【００１２】
〔請求項４記載の発明〕
帯板が可とう性を有し、使用状態において内方に圧すると、谷片が狭まって、挿入係止関係が解除される、請求項３記載のパネル固定具。
【００１３】
〔請求項５記載の発明〕
側片の先端部が、少なくとも側方に延在するように曲げられている、請求項４記載のパネル固定具。
【発明の効果】
【００１４】
本発明によると、迅速にパネルを固定することができるパネル固定構造及びパネル固定具となる。
【発明を実施するための最良の形態】
【００１５】
次に、本発明の実施の形態を説明する。
〔枠材１０、各種設備２０、各種パネルＰ等〕
図３及び図４に示すように、本実施の形態が前提とする、枠材１０、各種設備２０、各種パネルＰ等や、これらの支持方法など（以下、単に前提構成ともいう。）は、図１及び図２に示した、従来の形態と同様である。この前提構成が従来の形態と同様である点、特に上側枠１３の係止口１３ａを、そのまま利用することができる点は、本実施の形態の大きな利点の１つである。
【００１６】
もっとも、本実施の形態の前提構成は、このように従来の形態と同様であることに、限定されるものではない。例えば、前述した従来の形態では、枠材１０が、図５に示すように、部屋Ｒに格子状に枠組みされることを前提にしたが、枠材１０は、図６に示すように、部屋Ｒの一方向のみに沿うように、備えられていてもよい。
【００１７】
〔固定具、固定構造〕
図３及び図４に側面図を、図７にその一部平面図を示すように、本実施の形態のパネル固定具１は、使用状態において係止口１３ａと対向する上片２と、この上片２の側端縁から使用状態においてパネルＰの端縁部上まで延在する側片３，４とが形成されるように、１枚の帯板が折り曲げられて、できている。なお、図３に示すように、枠材１０の両側方にパネルＰが載置される場合は、両方の側片３，４が備わり、他方、図４に示すように、枠材１０の一側方のみにパネルＰが載置される場合は、一方の側片３のみが備わり、他方側は、上側枠１３の上面に当接するＬ字片９となっている。
【００１８】
また、本固定具１は、上片２の一部、図示例では中央部が、折り曲げられて、下方に突出する谷片５とされており、この谷片５が、係止口１３ａと相対的に挿入係止関係を有するフック部となっている。このフック部を構成する谷片５は、図３中に拡大して示すように、上片２が下方に折り曲げられて左右対称の枝片６，６とされ、この枝片６，６が、それぞれが外方に折り曲げられて鉤片７，７とされ、更にこの鉤片７，７が、それぞれが下方・斜め内方に折り曲げられて鋭片８，８とされて、できている。なお、この両鋭片８，８も、１枚の帯板が、中央部において、谷折りされてできている。
【００１９】
このようにしてなる谷片５は、係止口１３ａに挿入されると、鉤片７，７が、係止口１３ａを形成する周壁に引っ掛かり、上下方向に関して、係止された状態（外れない状態）となる（挿入係止関係）。これにより、側片３，４の先端部（下端部）３ａ，４ａが、パネルＰの端縁部上に位置し、もってパネルＰの上方への移動が阻止されて（固定）、パネルＰの落下の危険が防止される（本実施の形態の固定構造３０）。
【００２０】
以上のように、本固定具１は、１枚の帯板を折り曲げるのみで、出来上がるため、製造容易である。
【００２１】
本固定具１、つまり本帯板は、いかなる素材ができているか、特に限定されない。ただし、鉄、ＳＵＳ等の可とう（撓）性を有する素材からできているのが、好ましい。可とう性を有すると、使用状態において、例えば、側片３，４を内方に押すなどして、内方に圧すると、谷片５が狭まって、より具体的には、２つの鋭片８，８の連続する部位（折れ曲がり部位）がたわんで、挿入係止関係が解除される。また、可とう性を有すると、内方に圧することで、挿入も容易になる。
【００２２】
また、本固定具１が、可とう性を有する場合は、側片３，４の先端部３ａ，４ａが、少なくとも側方に延在するように、例えば、図示例でのように、外方に弧を描くように、曲げられているのが好ましい。可とう性を有する場合は、パネルＰに上方への強い力が加わった場合に、側片３，４が撓むことがあるが、側片３，４の先端部３ａ，４ａが、側方へ延在すると、パネルＰの固定が解除されてしまうおそれがない。
【００２３】
〔その他〕
図示例では、枠材１０に対して、１つの固定具１を備えているが、例えば、枠材１０の長手方向（図３及び図４では、紙面前後方向。）に関して、２つ、３つ、４つ又はそれ以上の複数の固定具１を備えることもできる。要求される固定強度や、各固定具１の大きさ等をファクターとして、適宜設計するとよい。
【産業上の利用可能性】
【００２４】
本発明は、既設建物内に、クリーンルーム等の部屋を構築する場合に、その部屋の天井部となるパネルを、このパネルを支持する枠材に固定する構造及び固定具として、適用可能である。
【図面の簡単な説明】
【００２５】
【図１】従来の固定構造を示す図である。
【図２】従来の固定構造を示す図である。
【図３】本実施の形態の固定構造を示す図である。
【図４】本実施の形態の固定構造を示す図である。
【図５】枠材の組み方の例である。
【図６】枠材の組み方の例である。
【図７】本実施の形態の固定具の一部平面図である。
【符号の説明】
【００２６】
１…固定具、２…上片、３，４…側片、１０…枠材、１２ａ，１２ａ…フランジ部、１３ａ…係止口、２０…各種設備、Ｐ…パネル。
【図１】
2006169889.tif 000003
【図２】
2006169889.tif 000004
【図３】
2006169889.tif 000005
【図４】
2006169889.tif 000006
【図５】
2006169889.tif 000007
【図６】
2006169889.tif 000008
【図７】
2006169889.tif 000009